(57)【要約】【課題】  キック式始動装置の位置を自由にレイアウトできるようなキック式始動装置の配置および構成を提案する。【解決手段】  クランクケースに回転自在に支承されるクランク軸と、該クランク軸から出力軸へ動力を伝達する動力伝達機構と、該動力伝達機構の一部および上記クランク軸に固定される補機類を覆うクランクケースカバーと、キック式始動装置とを備えた内燃機関において、キック式始動装置をクランクケースカバーの外側に設けた。また、上記キック式始動装置を、上記内燃機関出力軸と後輪とを結ぶチェーンの前部とその駆動スプロケットを覆う内燃機関のリアカバーに対して、一部重なる位置に設けた。また、クランク軸の一側にトルクコンバータを備え、該トルクコンバータと反対側のクランクケースカバーにキック式始動装置を備えた。【選択図】          図３
2008057548.tif 000002
【特許請求の範囲】
【請求項１】
クランクケース内に回転自在に支承されるクランク軸と、
出力軸と、
上記クランク軸から出力軸へ動力を伝達する動力伝達機構と、
該動力伝達機構の一部および上記クランク軸に固定される補機類を覆うクランクケースカバーと、
始動の際にクランク軸を回転駆動すべく上記クランク軸に回転力伝達可能に連結されるキック式始動装置とを備えた自動二輪車用内燃機関において、
上記クランク軸の一側にはトルクコンバータが設けられ、
上記キック式始動装置が上記クランクケースカバーの外側に支持され、
上記キック式始動装置は、上記トルクコンバータと反対側のクランクケースカバー外側に設けられたことを特徴とする自動二輪車用内燃機関。
【請求項２】
上記内燃機関を自動二輪車に搭載した場合に、上記キック式始動装置は、上記内燃機関出力軸と後輪とを結ぶチェーンの前部とその駆動スプロケットを覆う内燃機関のリアカバーに対して、車両側方から見た時、一部重なる位置に設けられていることを特徴とする請求項１に記載の自動二輪車用内燃機関。
【請求項３】
上記セル式始動装置のセルモータのピニオンからクランク軸へ至る動力伝達機構が上記トルクコンバータと反対側のクランクケース内に設けられたことを特徴とする請求項１記載の自動二輪車用内燃機関。
【発明の詳細な説明】
【技術分野】
【０００１】
本発明は、キック式始動装置を備えた自動二輪車用内燃機関に関するものである。
【背景技術】
【０００２】
クランク軸から出力軸へ動力を伝達する動力伝達機構のケース内にキック式始動装置が設けられた例がある（例えば、特許文献１参照。）。この例のような配置では、動力伝達機構への干渉を避けるため、キック式始動装置のレイアウトの自由度が制限されるという問題がある。
【０００３】
また、この例では、キック式始動装置を取り外した仕様に変更した場合に、上記ケース内に不要なスペースが生じ、キック式始動装置を取り外したにもかかわらず、内燃機関全体をコンパクト化することができないという問題がある。
【０００４】
【特許文献１】特開平８−１７７６９０号公報（図１）。
【発明の開示】
【発明が解決しようとする課題】
【０００５】
キック式始動装置の位置を自由にレイアウトできるようなキック式始動装置の配置および構成を提案する。更に、キック式始動装置を取り外した仕様にした場合に、動力伝達機構のケース内に、不要な空間が残らないようなキック式始動装置の配置および構成を提案する。
【課題を解決するための手段】
【０００６】
本発明は上記課題を解決したものであって、請求項１に記載の発明は、クランクケース内に回転自在に支承されるクランク軸と、出力軸と、上記クランク軸から出力軸へ動力を伝達する動力伝達機構と、該動力伝達機構の一部および上記クランク軸に固定される補機類を覆うクランクケースカバーと、始動の際にクランク軸を回転駆動すべく上記クランク軸に回転力伝達可能に連結されるキック式始動装置とを備えた自動二輪車用内燃機関において、上記クランク軸の一側にはトルクコンバータが設けられ、上記キック式始動装置が上記クランクケースカバーの外側に支持され、上記キック式始動装置は、上記トルクコンバータと反対側のクランクケースカバー外側に設けられたことを特徴とするものである。
【０００７】
請求項２に記載の発明は、請求項１に記載の内燃機関において、上記内燃機関を自動二輪車に搭載した場合に、上記キック式始動装置は、上記内燃機関出力軸と後輪とを結ぶチェーンの前部とその駆動スプロケットを覆う内燃機関のリアカバーに対して、車両側方から見た時、一部重なる位置に設けられていることを特徴とするものである。
【０００８】
請求項３に記載の発明は、上記セル式始動装置のセルモータのピニオンからクランク軸へ至る動力伝達機構が上記トルクコンバータと反対側のクランクケース内に設けられたことを特徴とするものである。
【発明の効果】
【０００９】
請求項１の発明は、キック式始動装置をクランクケースカバーの外側に設けたことによって、クランクケースカバー内の補機および動力伝達機構と干渉することが無く、運転者が操作しやすい位置にキック式始動装置を自由に配置することができる。また、仕様変更で、キック式始動装置を取り外す場合でも、クランクケースカバーの形状変更のみで対応できるため、仕様変更時の変更部分を必要最小限に抑えることができる。また、クランクケース内の動力伝達機構部のギヤ室内にキック式始動装置を設けた場合に比べ、内燃機関内に余分な空間が残らないので、内燃機関をコンパクト化することができる。
【００１０】
請求項２の発明は、キック式始動装置をリアカバーと一部重なる位置に設けることによって、キック式始動装置のレイアウトの自由度を一層高めることが出来る。
【００１１】
請求項３の発明は、トルクコンバータとキック式始動装置とを、自動二輪車の左右方向の互いに反対側に設けたので、内燃機関の左右バランスが良好となる。
【発明を実施するための最良の形態】
【００１２】
図１は本発明の一実施形態に係る内燃機関10を搭載した自動二輪車１の側面図である。
この自動二輪車１は、車体フレーム２の中央に内燃機関10が懸架され、車体フレーム２の前部に回動自在に枢支されたフロントフォーク３に前輪４が軸支され、内燃機関10に前端を枢支され後方に延びるリヤフォーク５の後端に後輪６が軸支されている。後輪６の上方はシート７が覆っている。
【００１３】
図２は、シリンダ中心線、クランク軸、入力軸、および出力軸を含む、内燃機関10の縦断面図である。この内燃機関10は、動力発生機構11と動力伝達機構12とを一体化して構成されている。左右半割りの左クランクケース13Ｌと右クランクケース13Ｒの合体により形成される空間の内部にクランク室とギヤ室が形成されている。車両の左右方向に指向して配置されるクランク軸15が、左右クランクケース13Ｌ，13Ｒの各々にベアリング16Ｌ，16Ｒを介して支承されている。
【００１４】
動力発生機構11においては、クランクケース13Ｌ、13Ｒに接続されたシリンダブロック17の、シリンダ穴内を摺動自在に嵌装されたピストン18と上記クランク軸15とをコンロッド19が連接している。シリンダブロック17に接合されるシリンダヘッド20は、ピストン18の頂面との間に燃焼室21を形成し、燃焼室21に連通する吸，排気ポートを開閉する吸，排気弁（図示せず）を備えている。この吸，排気弁を駆動するカム軸22は、クランク軸15と平行にシリンダヘッド20に回転自在に支承されている。排気ポートには排気管23とマフラ24が接続されている。
【００１５】
動力伝達機構12においては、左右クランクケース13Ｌ，13Ｒに、クランク軸15に対して平行に配置された入力軸25と出力軸26とが回転自在に架設されている。入力軸25には、右クランクケース13Ｒから右方へ突出した端部に１次減速従動ギヤ25ａが嵌着され、同入力軸25の左右クランクケース13Ｌ，13Ｒの内側には駆動ギヤ25ｂが形成されている。出力軸26には、左右クランクケース13Ｌ，13Ｒの内側に、前記駆動ギヤ25ｂと互いに噛合う従動ギヤ26ａが嵌合されている。出力軸26の左クランクケース13Ｌから左外側へ突出した端部には、後輪チェーン駆動スプロケット26ｂが嵌着されている。上記後輪チェーン駆動スプロケット26ｂと、後輪６に一体的に設けられた後輪チェーン従動スプロケット６ａ（図１参照）との間に後輪駆動用チェーン27が架渡され、最終減速機構が構成されている。上記後輪駆動用チェーン27の前部と、このチェーンを駆動する後輪チェーン駆動スプロケット26ｂとは、内燃機関のリアカバー39によって覆われている。
【００１６】
クランク軸15の右クランクケース13Ｒから右方へ突出した右側部には、右端から内側に向かって、遠心クラッチ30，トルクコンバータ40，１次減速駆動ギヤ48ａが順に配設されている。１次減速駆動ギヤ48ａは前記動力伝達機構12の１次減速従動ギヤ25ａと噛合している。この１次減速駆動ギヤ48ａと１次減速従動ギヤ25ａとからなる１次減速機構、および遠心クラッチ30，トルクコンバータ40を、右方から覆う右クランクケースカバー14Ｒが、右クランクケース13Ｒの右端面に接合されている。クランク軸15の端部は、右クランクケースカバー14Ｒによって、ベアリング29で軸支されている。
【００１７】
遠心クラッチ30は、クラッチインナ31の基端を保持するインナボス部32がクランク軸15の右端部にスプライン嵌合され、クラッチインナ31の外周端側にクランク軸15と平行に突設された複数の支軸33にそれぞれクラッチウエイト34が傾動自在に枢支されている。クラッチアウタ35は、その円筒部が、クラッチウエイト34に内周面を対向させて覆い、クラッチアウタ35の基端を保持するアウタボス部36はクランク軸15にベアリング37を介して回動自在に枢支されるとともに、インナボス部32に対して一方向クラッチ38を介して支持されている。一方向クラッチ38は、クラッチアウタ35側からの回転トルクをクラッチインナ31側に伝達することができる。
【００１８】
クランク軸15の回転に対して、クラッチインナ31は一体的に回転するが、クラッチインナ31側からクラッチアウタ35へは、一方向クラッチ38があるので、回転トルクは伝達されない。クランク軸15の回転速度が所定速度を越えると、クラッチウエイト34の傾動が増しクラッチアウタ35に作用してクラッチが係合しクラッチアウタ35を回転させる。
【００１９】
この遠心クラッチ30に隣接して配設されるトルクコンバータ40は、前記クラッチアウタ35の基端を保持するアウタボス部36に一体的に結合されるポンプ羽根車41と、これに対向するタービン羽根車42と、これら羽根車41，42間に配置されるステータ羽根車43とから構成されるものである。
【００２０】
ステータ羽根車43の基端を保持するステータボス部44は円筒状のステータ軸45にスプライン嵌合し、同ステータ軸45はクランク軸15にベアリング46を介して軸支されるとともに右クランクケース13Ｒに対してフリーホイール47を介して支持され、ステータ羽根車43はステータ軸45と一体に一方向に回転可能である。
【００２１】
タービン羽根車42の基端を保持する円筒状のタービン軸48は、前記ステータ軸45にベアリング49を介して回転自在に支持され、このタービン軸48の左端部に前記１次減速駆動ギヤ48ａが形成されている。
【００２２】
ポンプ羽根車41には、タービン羽根車42の背面を覆うサイドカバー50が一体的に連結され、このサイドカバー50とタービン軸48との間にバックロード伝達用のフリーホイール51が介装されている。
【００２３】
クランク軸15の回転速度が所定速度を越え遠心クラッチ30が係合してクラッチアウタ35とともにポンプ羽根車41が回転すると、トルクコンバータ40内の作動オイルがポンプ羽根車41の外周側からタービン羽根車42、およびフリーホイール47により回転規制されたステータ羽根車43を順に流れて、ポンプ羽根車41の内周側に戻るように循環してポンプ羽根車41の回転トルクをタービン羽根車42に伝達し、タービン羽根車42と一体のタービン軸48およびタービン軸48と一体の１次減速駆動ギヤ48ａを回転駆動する。
【００２４】
タービン羽根車42が高速になりポンプ羽根車41の速度に近づくとフリーホイール47によりステータ羽根車43が空転して羽根車41，42，43が一体となって流体継手としての効率を高くして回転する。このようにトルクコンバータ40は自動変速機能を果す。
【００２５】
減速時のバックロードが動力伝達機構12側から１次減速機構を介してタービン軸48に入力されたときは、その回転トルクはフリーホイール51の係合によりサイドカバー50を介してポンプ羽根車41に直接伝達され、ポンプ羽根車41と一体のアウタボス部36の回転が一方向クラッチ38を介してクランク軸15に伝達されエンジンブレーキが働く。
【００２６】
クランク軸15の左クランクケース13Ｌから左方へ突出した左側部には、カムチェーン55が巻き掛けられるカムチェーン駆動スプロケット56が設けられ、その外側に、後述のセルモータに連なる大径歯車85ａと、ワンウエイクラッチ87が設けられ、更にその外側に、ＡＣジェネレータ60が取り付けられている。ワンウエイクラッチ87およびＡＣジェネレータ60のアウタロータ61は共に、保持部材59に接続されている。同保持部材59はクランク軸15の左端部にキー58を介して嵌入され、ボス部材65を介装してクランク軸15の左端に螺入されるボルト64によって、クランク軸15に固定されている。ＡＣジェネレータ60を左方から覆う左クランクケースカバー14Ｌが、左クランクケース13Ｌの左端面に接合されている。
【００２７】
この左クランクケースカバー14Ｌは、クランク軸15の軸端に対向する部分に開口63が形成されていて、この開口周縁部にＡＣジェネレータ60のインナステータ62が支持されている。したがってＡＣジェネレータ60は、インナステータ62が左クランクケースカバー14Ｌを介して左クランクケース13Ｌに固定支持され、アウタロータ61がクランク軸15と一体に回転するという構成になっている。クランク軸15の左端においてアウタロータ61を固定するボス部材65は、左クランクケースカバー14Ｌの開口63を貫通して外側に突出した端部があり、その部分に、後述のキック式始動装置70に関連する環状ラチェット歯65ａが左方へ突出形成されている。ＡＣジェネレータ60より左方で左クランクケースカバー14Ｌのさらに外側にキック式始動装置70が設けられている。
【００２８】
図３は、上記内燃機関を左側から見た外観図である。図の左方（内燃機関の前部）に、シリンダヘッド20、シリンダブロック17が、図の右方（内燃機関の後方）に、出力軸26の位置、後輪チェーン駆動スプロケット26ｂの位置、後輪駆動用チェーン27、およびリアカバー39が示してある。後輪チェーン駆動スプロケット26ｂと上記スプロケット26ｂに掛けまわされている後輪駆動用チェーン27の上記スプロケット26ｂの近傍はリアカバー39によって覆われている。図の中央部のキック軸76から後方へ向けてキックアーム79が伸び、先端にキックペダル79ａが設けてある。キックアーム79はキック軸76と共に回動する。キック軸76に連なる歯車装置は、キック式始動装置カバー71によって覆われている。内燃機関10の上部に、セルモータ81の一部が見える。13Ｌは左クランクケース、14Ｌは左クランクケースカバーである。
【００２９】
図４は、上記内燃機関において、キックアーム79、キックペダル79ａ、およびキック式始動装置カバー71を除去し、キック式始動装置の内部装置が見える状態で、内燃機関を左側から見た図である。図において、点々を付して示した部分14ｊは、左クランクケースカバー14Ｌの端面に形成された、キック式始動装置カバー71に対する合わせ面である。キック式始動装置の内部装置は左クランクケースカバー14Ｌの外側に形成されている。キック軸76に、同キック軸と一体回動する扇形の駆動ヘリカルギヤ77が設けてある。この駆動ヘリカルギヤ77にはキック式始動装置カバー71の一部を支点とするリターンスプリング78が設けてある。上記駆動ヘリカルギヤ77は、隣接するラチェット軸72に設けられた従動ヘリカルギヤ73に噛合っている。従動ヘリカルギヤ73からクランク軸15へのキック始動力の伝達については後述する。
【００３０】
図５は、上記内燃機関において、更に、キック式始動装置の内部装置、左クランクケースカバー14Ｌ、およびＡＣジェネレータ60を除去し、セルモータ81からクランク軸15に至るセル式始動装置80の始動力伝達機構が見える状態で、内燃機関を左側から見た図である。図において、点々を付して示した部分13ｊは、左クランクケース13Ｌの端面に形成された、左クランクケースカバー14Ｌに対する合わせ面である。セルモータ81のモータ回転軸82にピニオン82ａが形成され、中間軸83に装着された２重歯車84の大径歯車84ａに噛合っている。クランク軸15にローラベアリング86を介して円筒形ボス85が遊嵌され、その端部に大径歯車85ａが一体形成されている。上記２重歯車84の小径歯車84ｂは、上記円筒形ボス85の大径歯車85ａに噛合っている。円筒形ボス85からクランク軸15に至る動力伝達については後述する。
【００３１】
図６は、キック式始動装置70とセル式始動装置80との、クランク軸15に対する駆動力伝達機構を示す図である。キック式始動装置70の断面は、図３のＡ−Ａ断面および図４のＢ−Ｂ断面を示し、セル式始動装置80の断面は、図５のＣ−Ｃ断面を示したものである。
【００３２】
左クランクケースカバー14Ｌの左端面にキック式始動装置70の駆動力伝達機構を覆ってキック式始動装置カバー71が接合されている。このキック式始動装置カバー71の内面には、クランク軸15の中心線の延長線上にクランク軸15と同軸の円筒状支持部71ａが突出しており、同円筒状支持部71ａにラチェット軸72が回動可能、かつ軸方向摺動可能に嵌挿支持されている。ラチェット軸72は、その中央の露出部に従動ヘリカルギヤ73が形成され、右端にはラチェットホイール74が固着されており、同ラチェットホイール74の、右方へ環状に突出した端部に形成されたラチェット歯74ａが、前記クランク軸15の左端に固定されたボス部材65のラチェット歯65ａに対向している。
【００３３】
キック式始動装置カバー71とラチェットホイール74間に介装されたフリクションスプリング75により、ラチェットホイール74とともにラチェット軸72が左方に付勢されており、フリクションスプリング75に抗してラチェットホイール74が右方に移動するとラチェットホイール74のラチェット歯74ａがボス部材65のラチェット歯65ａと噛み合う。
【００３４】
キック式始動装置カバー71の内面には、上記円筒状支持部71ａに対して若干の距離を置いて、軸受ボス部71ｂが内側に膨出しており、同軸受ボス部71ｂにキック軸76が貫通して回動自在に軸支されている。キック軸76の左端は左方外部に突出し、右端は左クランクケースカバー14Ｌに回動自在に嵌入している。このキック軸76に、図４に示した扇形の駆動ヘリカルギヤ77が一体に嵌着されてリターンスプリング78により一方の回転方向に付勢されている。上記駆動ヘリカルギヤ77はラチェット軸72のヘリカルギヤ73に噛合している。
キック軸76の左端に基端部を固着してキックアーム79が上下に揺動可能に取り付けられている。その先端にキックペダル79ａが装着されている。
【００３５】
したがってキックペダル79ａが踏み込まれ、キック軸76がリターンスプリング78に抗して回転すると、キック軸76と一体となって駆動ヘリカルギヤ77が回転し、これと噛合する従動ヘリカルギヤ73がラチェット軸72とともに回転しながらフリクションスプリング75に抗して右方に摺動し、ラチェットホイール74のラチェット歯74ａが、クランク軸15側のボス部材65のラチェット歯65ａと噛み合ってクランク軸15を強制的に回転させ内燃機関10を始動する。この始動時のキックペダル79ａの踏み込みによるクランク軸15の回転トルクは、回転数が低速回転であり遠心クラッチ30のクラッチインナのみを回転してクラッチアウタ以降の動力伝達系に伝達しないので、始動作業が軽く容易である。
【００３６】
図４および図６において、クランク軸15の上方にセルモータ81が搭載され、セルモータ81の左端小径部81ａは、左クランクケース13Ｌに形成された貫通孔に嵌入され、同セルモータ81の左端から突出しているモータ回転軸82は、左クランクケース13Ｌと左クランクケースカバー14Ｌとの間の空間に突入している。モータ回転軸82の左端部にはピニオン82ａが形成してある。
【００３７】
上記ピニオン82ａとクランク軸15との間に位置して、左クランクケース13Ｌと左クランクケースカバー14Ｌとに中間軸83が回転可能に架け渡され、この中間軸83に大径歯車84ａと小径歯車84ｂとを一体に形成した２重歯車84が取りつけられている。上記大径歯車84ａは上記ピニオン82ａと噛合っている。
【００３８】
クランク軸15には、大径歯車85ａをその端部に備えた円筒形ボス85がローラベアリング86を介して遊嵌されている。上記大径歯車85ａは、上記２重歯車84の小径歯車84ｂと噛合っている。上記円筒形ボス85の外周にワンウエイクラッチ87が形成されている。上記ワンウエイクラッチ87のアウタレースはボルト88を介して保持部材59に接続されている。同保持部材59はキー58を介してクランク軸15に固定されている。上記ワンウエイクラッチ87は、大径歯車85ａの回転を保持部材59に伝えることはできるが、保持部材59の回転を大径歯車85ａに伝えることは出来ない構成になっている。なお、上記保持部材には、ＡＣＧ60のアウタロータ61も接続されている。セルモータ81のスイッチがＯＮとなると、セルモータ81の回転駆動力は、上記ピニオン82ａ、２重歯車84、大径歯車85ａ、ワンウエイクラッチ87、および保持部材59を介してクランク軸15に伝達され、クランク軸15が回転し、内燃機関が始動する。。
【００３９】
上記の動力伝達方式は、常時噛合い方式であり、内燃機関始動後に、内燃機関側からの動力が、逆にセルモータ81に伝わるのを防ぐために、ワンウエイクラッチ87が取りつけてある。上記ワンウエイクラッチ87は、上記円筒形ボス85の外周に装着されたアウタレース内に設けられたくさび形の溝に、ローラとスプリングとが挿入された構造となっており、円筒形ボス85とアウタレースの間で、上記ローラとスプリングとによって、一方向動力伝達作用が生じるものである。
【００４０】
本発明の内燃機関の構成は上述の通りである。従来キック式始動装置では、動力伝達機構への干渉を避けるため、キック軸のレイアウト自由度が制限されるという問題があった。本実施形態では、キック式始動装置をクランクケースカバーの外側に設けてあるので、クランクケースカバー内の補機および動力伝達機構と干渉することが無く、運転者が操作しやすい位置にキック式始動装置の各部材を自由に配置することができる。
【００４１】
また、本実施形態の内燃機関は、キック式始動装置とセル式始動装置とを共に備えた内燃機関であるが、キック式始動装置を取り外した仕様に変更し、セル式始動装置だけの仕様にすることができる。図７は、図２の一部を示す縦断面図において、キック式始動装置を取り除いた仕様を示す図である。キック式始動装置を取り外した場合には、図７に示されるキック式始動装置除去時専用の左クランクケースカバー90を取りつけて、ＡＣジェネレータ60やワンウエイクラッチ87や大径歯車85ａなどを覆うので、仕様変更時の変更部分を必要最小限に抑えることができる。この場合に、クランクケース内の動力伝達機構部12のギヤ室内にキック式始動装置を設けた場合に比べ、ケース内に無駄な空間が残らないので、内燃機関を全体としてコンパクト化することができる。
【００４２】
さらに、本実施形態の内燃機関は、キック式始動装置70をリアカバー39と一部重なる位置に設けることができるので、キック式始動装置70のレイアウトの自由度を高めることが出来る。
【００４３】
また、トルクコンバータとキック式始動装置とを、自動二輪車の左右方向の互いに反対側に設けたので、内燃機関の左右バランスが良好となっている。さらに、ＡＣジェネレータ60をトルクコンバータ40とは反対側のクランク軸端部に設けてあるので、オイル通路をトルクコンバータ40側に集約でき、オイル通路を複雑に取りまわす必要がなくなっている。
【図面の簡単な説明】
【００４４】
【図１】本発明の一実施形態に係る内燃機関を搭載した自動二輪車の側面図である。
【図２】上記内燃機関の縦断面図である。
【図３】上記内燃機関を左側から見た外観図である。
【図４】上記内燃機関において、キック式始動装置の内部装置が見える状態で、内燃機関を左側から見た図である。
【図５】上記内燃機関において、セル式始動装置の動力伝達機構が見える状態で、内燃機関を左側から見た図である。
【図６】キック式始動装置とセル式始動装置との、クランク軸に対する動力伝達機構を示す図である。
【図７】キック式始動装置を取り除いた仕様を示す縦断面図である。
【符号の説明】
【００４５】
１…自動二輪車、２…車体フレーム、３…フロントフォーク、５…リヤフォーク、６…後輪、６ａ…後輪チェーン従動スプロケット、７…シート、10…内燃機関、11…動力発生機構、12…動力伝達機構、13Ｌ…左クランクケース、13Ｒ…右クランクケース、13ｊ…合わせ面、14Ｌ…左クランクケースカバー、14Ｒ…右クランクケースカバー、14ｊ…合わせ面、15…クランク軸、16Ｌ，16Ｒ…ベアリング、17…シリンダブロック、18…ピストン、19…コンロッド、20…シリンダヘッド、21…燃焼室、22…カム軸、23…排気管、24…マフラ、25…入力軸、25ａ…１次減速従動ギヤ、25ｂ…駆動ギヤ（入力軸・出力軸間）、26…出力軸、26ａ…従動ギヤ（入力軸・出力軸間）、26ｂ…後輪チェーン駆動スプロケット、27…後輪駆動用チェーン、29…クランク軸端部のベアリング、30…遠心クラッチ、31…クラッチインナ、32…インナボス部、33…支軸、34…クラッチウエイト、35…クラッチアウタ、36…アウタボス部、37…ベアリング、38…一方向クラッチ、39…リアカバー、40…トルクコンバータ、41…ポンプ羽根車、42…タービン羽根車、43…ステータ羽根車、44…ステータボス部、45…ステータ軸、46…ベアリング、47…フリーホイール、48…タービン軸、48ａ…１次減速駆動ギヤ、49…ベアリング、50…サイドカバー、51…フリーホイール、55…カムチェーン、56…カムチェーン駆動スプロケット、58…キー、59…保持部材、60…ＡＣジェネレータ、61…アウタロータ、62…インナステータ、63…左クランクケースカバー14Ｌの開口、64…ボルト、65…ボス部材、65ａ…ラチェット歯、70…キック式始動装置、71…キック式始動装置カバー、71ａ…円筒状支持部、71ｂ…キック軸軸受ボス部、72…ラチェット軸、73…従動ヘリカルギヤ、74…ラチェットホイール、74ａ…ラチェット歯、75…フリクションスプリング、76…キック軸、77…駆動ヘリカルギヤ、78…リターンスプリング、79…キックアーム、79ａ…キックペダル、80…セル式始動装置、81…セルモータ、81ａ…セルモータの小径部、82…モータ回転軸、82ａ…モータ回転軸のピニオン、83…中間軸、84…２重歯車、84ａ…大径歯車、84ｂ…小径歯車、85…円筒形ボス、85ａ…大径歯車、86…ローラベアリング、87…ワンウエイクラッチ、88…ボルト、90…キック式始動装置除去時専用の左クランクケースカバー。
【図１】
2008057548.tif 000003
【図２】
2008057548.tif 000004
【図３】
2008057548.tif 000005
【図４】
2008057548.tif 000006
【図５】
2008057548.tif 000007
【図６】
2008057548.tif 000008
【図７】
2008057548.tif 000009
【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
シート７の前方に、後ろ下がりの車体フレーム２の下方に懸架された内燃機関10を備えた自動二輪車１であって、前記内燃機関10のクランク軸15が車体の左右方向にクランクケース13に支承されるとともに、前記クランク軸15の右側部に前記クランク軸15により駆動される自動変速機構を備え、左側部にセル式始動装置80を備え、前記自動変速機構から前記クランク軸15の動力が動力伝達機構12を介して、前記左側部に設けられた後輪チェーン駆動スプロケット26ｂに伝達されて、後輪６が駆動される自動二輪車１において、
前記自動変速機構の反対側にキック式始動装置70のキック軸76が設けられたことを特徴とする自動二輪車１。
【請求項２】
前記キック軸76は、前記クランク軸15と前記後輪チェーン駆動スプロケット26ｂとの間に設けられたことを特徴とする請求項１記載の自動二輪車１。
【請求項３】
前記キック軸76には上下に揺動可能にキックアーム79が後ろ上がりの状態で取付けられたことを特徴とする請求項１記載の自動二輪車１。
【請求項４】
前記後輪チェーン駆動スプロケット26ｂには、当該スプロケット26ｂを覆うリヤカバー39が設けられ、前記キックアーム79は側面視当該リヤカバー39と重なる位置に取付けられたことを特徴とする請求項３記載の自動二輪車１。
【請求項５】
前記キックアーム79の先端にキックペダル79ａが装着され、当該キックペダル79ａは前記後輪チェーン駆動スプロケット26ｂの後方で、後輪チェーン27の上側近傍に位置したことを特徴とする請求項３記載の自動二輪車１。
【手続補正３】
【補正対象書類名】明細書
【補正対象項目名】０００１
【補正方法】変更
【補正の内容】
【０００１】
本発明は、キック式始動装置を有する内燃機関を搭載した自動二輪車に関するものである。
【手続補正４】
【補正対象書類名】明細書
【補正対象項目名】０００２
【補正方法】変更
【補正の内容】
【０００２】
シートの前方に後ろ下がりの車体フレームの下方に内燃機関を懸架した小型自動二輪車があった（例えば、特許文献１）。
【手続補正５】
【補正対象書類名】明細書
【補正対象項目名】０００３
【補正方法】変更
【補正の内容】
【０００３】
特許文献１記載の小型自動二輪車では、セル式始動装置とキック式始動装置を設けることが多いが、そのキック式始動装置は通常、運転者がシートにまたがった状態でキックを操作する関係からキック始動装置は車両の右側に設けられることが多い。
このように内燃機関に自動変速機構を備えるような機構を採用する場合には、内燃機関の自動変速機構および動力伝達機構の構造を考慮した上でキック式始動装置を適切に配置することが望まれる。すなわち、自動変速機との干渉を避けながら、キック軸のレイアウトの自由度と運転者が操作し易い位置にキック式始動装置を配置することが望ましい。
【手続補正６】
【補正対象書類名】明細書
【補正対象項目名】０００４
【補正方法】変更
【補正の内容】
【０００４】
【特許文献１】特開２００２−２０１９５５号公報
【手続補正７】
【補正対象書類名】明細書
【補正対象項目名】０００５
【補正方法】変更
【補正の内容】
【０００５】
本願発明は、自動変速機構との干渉を避けながらキック軸のレイアウトの自由度と運転者が操作し易い位置にキック式始動装置を配置した自動二輪車を提案するものである。
【手続補正８】
【補正対象書類名】明細書
【補正対象項目名】０００６
【補正方法】変更
【補正の内容】
【０００６】
本発明は、上記課題を解決したものであって、請求項１に記載の発明は、シート７の前方に、後ろ下がりの車体フレーム２の下方に懸架された内燃機関10を備えた自動二輪車１であって、前記内燃機関10のクランク軸15が車体の左右方向にクランクケース13に支承されるとともに、前記クランク軸15の右側部に前記クランク軸15により駆動される自動変速機構を備え、左側部にセル式始動装置80を備え、前記自動変速機構から前記クランク軸15の動力が動力伝達機構12を介して、前記左側部に設けられた後輪チェーン駆動スプロケット26ｂに伝達されて、後輪６が駆動される自動二輪車１において、前記自動変速機構の反対側にキック式始動装置70のキック軸76が設けられたことを特徴とするものである。
【手続補正９】
【補正対象書類名】明細書
【補正対象項目名】０００７
【補正方法】変更
【補正の内容】
【０００７】
請求項２に記載の発明は、請求項１に記載の発明において、前記キック軸76は、前記クランク軸15と前記後輪チェーン駆動スプロケット26ｂとの間に設けられたことを特徴とするものである。
【手続補正１０】
【補正対象書類名】明細書
【補正対象項目名】０００８
【補正方法】変更
【補正の内容】
【０００８】
請求項３に記載の発明は、請求項１に記載の発明において、前記キック軸76には上下に揺動可能にキックアーム79が後ろ上がりの状態で取付けられたことを特徴とするものである。
【手続補正１１】
【補正対象書類名】明細書
【補正対象項目名】０００９
【補正方法】変更
【補正の内容】
【０００９】
請求項４に記載の発明は、請求項１に記載の発明において、前記後輪チェーン駆動スプロケット26ｂには、当該スプロケット26ｂを覆うリヤカバー39が設けられ、前記キックアーム79は側面視当該リヤカバー39と重なる位置に取付けられたことを特徴とするものである。
【手続補正１２】
【補正対象書類名】明細書
【補正対象項目名】００１０
【補正方法】変更
【補正の内容】
【００１０】
請求項５に記載の発明は、請求項１に記載の発明において、前記キックアーム79の先端にキックペダル79ａが装着され、当該キックペダル79ａは前記後輪チェーン駆動スプロケット26ｂの後方で、後輪チェーン27の上側近傍に位置したことを特徴とするものである。
【手続補正１３】
【補正対象書類名】明細書
【補正対象項目名】００１１
【補正方法】削除
【補正の内容】